(57)【特許請求の範囲】
【請求項１】
フィルム原稿を保持する原稿設置位置から所定距離離れた位置に固定されたイメージセンサによって前記フィルム原稿の担持画像を光電的に読み取る結像光学系における画像入力用レンズ装置であって、
前記フィルム原稿の担持画像に応じた読取倍率に従って移動するズームレンズ群と、このズームレンズ群を駆動するズーム用モータと、
前記読取倍率に応じて前記ズームレンズ群によって変倍された前記フィルム原稿の担持画像を前記イメージセンサに合焦するフォーカスレンズ群と、このフォーカスレンズ群を駆動するフォーカス用モータと、
前記ズームレンズ群およびフォーカスレンズ群の少なくとも一方の温度を検出する温度センサと、
前記原稿設置位置に設置された基準原稿に対して基準温度において複数の倍率に対して計測された合焦位置までの前記フォーカスレンズ群の移動量データ、前記基準温度データおよびこの基準温度からの温度変化に伴う、予め計測された前記フォーカスレンズ群の移動補正量データを記憶する手段と、
この記憶手段から、前記読取倍率に応じた移動量データおよび前記温度センサによって検出された温度と前記基準温度との差に基づく移動補正量データを読み出し、これらを加算して得られる前記フォーカスレンズ群の演算合焦位置を中心にして前記フィルム原稿に応じて自動的に合焦位置を決定するための前記フォーカスレンズ群の移動範囲を設定する手段と、
前記フィルム原稿に応じて前記フォーカスレンズ群を前記移動範囲内において自動的に合焦位置に移動させるように前記フォーカス用モータを自動制御する自動焦点調整手段とを有することを特徴とする画像入力用レンズ装置。
【請求項２】
フィルム原稿を保持する原稿設置位置から所定距離離れた位置に固定されたイメージセンサによって前記フィルム原稿の担持画像を光電的に読み取る結像光学系に用いおける、ズームレンズ群とフォーカスレンズ群とを有する画像入力用レンズ装置を合焦位置に自動設定するに際し、
前記原稿設置位置に設置された基準原稿に対して基準温度において複数の倍率に対して計測された合焦位置までの前記フォーカスレンズ群の移動量データ、前記基準温度データおよびこの基準温度からの温度変化に伴う、予め計測された前記フォーカスレンズ群の移動補正量データを予め記憶しておき、
前記原稿設置位置にフィルム原稿を設置し、読取倍率に応じた基準位置にフォーカスレンズ群とともに前記ズームレンズ群を移動するとともに温度センサにより温度を計測し、
前記記憶手段から前記読取倍率に応じた前記フォーカスレンズ群の移動量データと、測定温度と基準温度との差に基づいて移動補正量データとを読み出すとともに前記計測温度から基準温度に対する移動補正量データとを読み出し、加算して演算合焦位置を演算するとともに、この演算合焦位置を中心として前記フォーカスレンズ群の移動範囲を設定し、
前記フォーカスレンズ群を前記演算合焦位置に移動するとともに、この位置を中心として前記フォーカスレンズ群を前記移動範囲内において自動的に合焦位置に移動させるようにすることを特徴とする画像入力用レンズ装置の合焦位置の補正方法。
【発明の詳細な説明】
【０００１】
【発明の属する技術分野】
本発明は、写真焼付装置、画像記録装置等の画像入力装置に利用される、フィルム原稿を支持する支持体を設置する原稿設置位置とフィルム原稿画像を光電的に読み取るイメージセンサの取付位置とが一定距離に固定された結像光学系における画像入力用レンズ装置およびその合焦位置の補正方法に関する。
【０００２】
【従来の技術】
現在、ネガフィルム、リバーサルフィルム等の写真フィルム原稿（以下、フィルム原稿または単にフィルムという）に撮影された画像の印画紙等の感光材料への焼き付けは、フィルム原稿の画像を感光材料に投影して感光材料を面露光する、いわゆる直接露光によって行われている。
【０００３】
これに対し、近年では、デジタル露光を利用する焼付装置、すなわち、フィルムに記録された画像情報を光電的に読み取って、読み取った画像をデジタル信号とした後、種々の画像処理を施して記録用の画像情報とし、この画像情報に応じて変調した記録光によって感光材料を走査露光して画像（潜像）を記録し、プリントとするデジタルフォトプリンタの開発が進んでいる。
【０００４】
デジタルフォトプリンタでは、複数画像の合成や画像の分割等の編集や文字と画像との編集等のプリント画像の編集レイアウトや、色／濃度調整、変倍率、輪郭強調等の各種の画像処理も自由に行うことができ、用途に応じて自由に編集および画像処理した仕上りプリントを出力することができる。また、従来の直接露光によるプリントでは、濃度分解能、空間分解能、色／濃度再現性等の点で、フィルム等に記録されている画像濃度情報をすべて再生することはできないが、デジタルフォトプリンタによればフィルムに記録されている画像濃度情報をほぼ１００％再生したプリントが出力可能である。
さらに、デジタルフォトプリンタによれば、各フィルムに記録された画像の画像情報やそれに対する画像処理条件を、装置が有するメモリやフロッピーディスク等の外部メモリに記憶（保存）しておくことが可能であるので、焼き増し等を行う際に、原画となるフィルムが不要であり、また、再度処理条件を設定する必要がないので、迅速かつ効率良く焼き増し等の作業を行うことができる。
【０００５】
このようなデジタルフォトプリンタは、基本的に、フィルム等の原稿に記録された画像を読み取る画像入力装置、読み取った画像を画像処理して画像記録の露光条件を決定するセットアップ装置、および決定された露光条件に従って感光材料を走査露光して現像処理を施す画像記録装置より構成される。
また、本出願人は、このようなデジタルフォトプリンタを実現するための画像読取装置や方法を特開平６−２１７０９１号、同６−２３３０５２号、同６−２４５０６２号の各公報に提案し、また、同公報においてデジタルフォトプリンタの装置の概要を開示している。
【０００６】
【発明が解決しようとする課題】
ところで、このような画像入力装置においては、フィルム原稿をキャリア等の支持体に装填して所定位置に取り付け、裏面側から光源で照明し、フィルム原稿を透過した原稿画像を担持する透過光をレンズ装置によってＣＣＤ等のイメージセンサに結像させて、原稿画像を光電的に読み取っている。
このようなフィルム原稿画像を入力する画像入力装置は、高精細でかつ色再現が優れていることが要求されるとともに、多様なフィルムサイズに対応したり、トリミング等の用途にも対応することが要求される。
【０００７】
このような要求を満たすために、レンズ装置としてズームレンズを使うことが考えられる。しかし、上述した画像入力装置では、フィルム原稿を装着したキャリアの取付位置とイメージセンサとの取付位置は固定されており、フィルム原稿とレンズ装置との間の距離およびレンズ装置と結像面であるＣＣＤとの間の距離は限定されている。このような画像入力装置に用いられるレンズ装置には、厳格な色収差補正も含め、かなり高い結像性能が要求される。
これらの要求を満たすため、レンズに蛍石や高屈折率低分散ガラス等の特殊光学材料を用いるのがよい。しかしながら、このような光学材料は温度による屈折率変動が他の光学材料に比べて大きく、フォーカス位置（合焦位置）変動が大きくなるという問題がある。
【０００８】
一方、このような画像入力装置において対象とされるフィルム原稿にも多種多様の形態のものがある。
例えば、フィルムの形態としては、通常の１３５のネガフィルムやリバーサルフィルムなどの、いわゆるストリップス（スリーブ）と呼ばれる多数の画像が撮影された長尺のフィルムと、フィルム（時にリバーサルフィルム）を一枚毎にスライドマウントに固定してなるスライドとがある。そこで、ストリップスは、フィルムホルダやフィルムキャリアなどに挟持され、取付位置に設置され、スライドはスライドホルダやスライドキャリアなどに装填されて、取付位置に設置される。
ところが、スライドでは、フィルムの支持体となるマウントの厚みが、一定ではなく、マウントの種類、例えば紙やプラスチックなどの素材やフィルムの製造会社あるいは現像所などによって異なるため、原稿設置位置に設置されたフィルム原稿面の位置が変動し、スライドの種類に応じて焦点調整をする必要があるという問題があった。また、ストリップスでは通常カールと呼ばれる巻き癖を有しており、フィルムのカールの状態に応じて焦点調整を行う必要があった。
【０００９】
ところで、上述したような光学材料を用いる結像レンズの合焦位置の温度補償を行う一般カメラ用自動焦点決定装置が、特開昭５８−１１１００５号公報に開示され、製版用カメラに用いられる合焦位置の温度補償装置が特開平３−８７８０１号公報に開示されている。
しかしながら、特開昭５８−１１１００５号公報に開示された自動焦点決定装置は、一般カメラ用であるため被写体と結像レンズの距離が大きく変化するものを対象としており、結像レンズの焦点深度内にあれば合焦位置であるとするものであるので、合焦精度は粗く、フィルム原稿のストリップスのカールの状態やスライドの支持体の厚み等が問題となる高解像度、高精度の画像読取には全く適用できないという問題があった。
また、特開平３−８７８０１号公報に開示された合焦位置の温度補償装置は、製版カメラに用いられるもので、結像レンズの温度変化によるピント位置ずれは調整できるが、元々倍率および結像レンズの焦点距離から被写体、結像レンズ、結像面相互の距離関係を所定の演算式に従って演算し、演算結果に基づいて結像レンズを最良のピント位置に調整するものであるので、フィルム原稿のストリップスのカールの状態やスライドの支持体の厚みの違いなどを調整することはできないという問題があった。
【００１０】
本発明の目的は、上記従来技術の問題点を解消し、多種多様のフィルム原稿に対応して高精度の画像読取を可能にするために、フィルム原稿の種類、形状や状態、例えばフィルムのカール、特に、ストリップスのカールやスライドの支持体の厚みの変動によるピント位置ずれ、および温度変化による焦点距離の変動に伴うピント位置ずれを自動調整し、常に最良のピント位置に合焦することができる画像入力用レンズ装置およびその合焦位置の補正方法を提供するにある。
【００１１】
【課題を解決するための手段】
上記目的を達成するために、本発明の第１の態様は、フィルム原稿を保持する原稿設置位置から所定距離離れた位置に固定されたイメージセンサによって前記フィルム原稿の担持画像を光電的に読み取る結像光学系における画像入力用レンズ装置であって、
前記フィルム原稿の担持画像に応じた読取倍率に従って移動するズームレンズ群と、このズームレンズ群を駆動するズーム用モータと、
前記読取倍率に応じて前記ズームレンズ群によって変倍された前記フィルム原稿の担持画像を前記イメージセンサに合焦するフォーカスレンズ群と、このフォーカスレンズ群を駆動するフォーカス用モータと、
前記ズームレンズ群およびフォーカスレンズ群の少なくとも一方の温度を検出する温度センサと、
前記原稿設置位置に設置された基準原稿に対して基準温度において複数の倍率に対して計測された合焦位置までの前記フォーカスレンズ群の移動量データ、前記基準温度データおよびこの基準温度からの温度変化に伴う、予め計測された前記フォーカスレンズ群の移動補正量データを記憶する手段と、
この記憶手段から、前記読取倍率に応じた移動量データおよび前記温度センサによって検出された温度と前記基準温度との差に基づく移動補正量データを読み出し、これらを加算して得られる前記フォーカスレンズ群の演算合焦位置を中心にして前記フィルム原稿に応じて自動的に合焦位置を決定するための前記フォーカスレンズ群の移動範囲を設定する手段と、
前記フィルム原稿に応じて前記フォーカスレンズ群を前記移動範囲内において自動的に合焦位置に移動させるように前記フォーカス用モータを自動制御する自動焦点調整手段とを有することを特徴とする画像入力用レンズ装置を提供するものである。
【００１２】
また、本発明の第２の態様は、フィルム原稿を保持する原稿設置位置から所定距離離れた位置に固定されたイメージセンサによって前記フィルム原稿の担持画像を光電的に読み取る結像光学系における、ズームレンズ群とフォーカスレンズ群とを有する画像入力用レンズ装置を合焦位置に自動設定するに際し、
前記原稿設置位置に設置された基準原稿に対して基準温度において複数の倍率に対して計測された合焦位置までの前記フォーカスレンズ群の移動量データ、前記基準温度データおよびこの基準温度からの温度変化に伴う、予め計測された前記フォーカスレンズ群の移動補正量データを予め記憶しておき、
前記原稿設置位置にフィルム原稿を設置し、読取倍率に応じた基準位置にフォーカスレンズ群とともに前記ズームレンズ群を移動するとともに温度センサにより温度を計測し、
前記記憶手段から前記読取倍率に応じた前記フォーカスレンズ群の移動量データと、測定温度と基準温度との差に基づいて移動補正量データとを読み出すとともに前記計測温度から基準温度に対する移動補正量データとを読み出し、加算して演算合焦位置を演算するとともに、この演算合焦位置を中心として前記フォーカスレンズ群の移動範囲を設定し、
前記フォーカスレンズ群を前記演算合焦位置に移動するとともに、この位置を中心として前記フォーカスレンズ群を前記移動範囲内において自動的に合焦位置に移動させるようにすることを特徴とする画像入力用レンズ装置の合焦位置の補正方法を提供するものである。
【００１３】
【発明の実施の形態】
本発明に係る画像入力用レンズ装置およびその合焦位置の補正方法を添付の図面に示す好適実施例に基づいて以下に詳細に説明する。
【００１４】
図１は、本発明の合焦位置の補正方法を実施する画像入力用レンズ装置を適用する画像入力装置の一実施例の概略斜視図（制御部２１はブロック図にて示す）である。
図１に示す画像入力装置（以下、入力装置とする）１０は、長尺なネガフィルムもしくはリバーサルフィルムであり多数の画像が撮影されているストリップスＡ、通常は１枚のリバーサルフィルムを枠体（マウント）に固定してなるスライドＢをフィルム原稿として、これらのフィルム原稿に撮影された画像を光電的に読み取る装置であって、基本的に、光学フレーム１２、光源部１４、キャリアベース１６、本発明のレンズ装置が組み込まれた結像部１８、エリアセンサであるイメージセンサ２０、本発明のレンズ装置の制御手段を含む制御部２１、およびキャリアベース１６に装着自在にされるフィルムキャリア２２とを有する。
【００１５】
この入力装置１０においては、キャリアベース１６に装着されたフィルムキャリア２２によって、図中矢印ｘにストリップスＡを搬送して読取位置Ｚで停止し、光源部１４からの光をフィルム原稿画像に照射して、フィルム原稿に撮影された画像を担持する投影光を得、結像部１８において投影光をイメージセンサ２０に結像し、イメージセンサ２０において光電変換して画像信号を得、この出力画像信号を制御部２１において画像処理することにより、フィルム原稿に撮影された画像を画像信号として二次元的に読み取る。
【００１６】
光源部１４は、イメージセンサ２０でフィルム原稿画像をＲ，Ｇ，Ｂの３原色に分解して高精度に読み取ることができるようにフィルム原稿（ストリップスＡ）を照射するための均一拡散した十分な光量を持つ各色光を作り出すものである。
図２に光源部１４の概略図を示す。
図示例の入力装置１０において、光源部１４はストリップスＡを下方から照射して投影光を得ており、光学フレーム１２のキャリアベース１６の下に位置し、光源２５、リフレクタ２５ａ、絞り２６、色フィルタ板２８、および拡散ボックス３０を有する。
また、光源部１４には、これ以外にも光源２５等の各種の部材を冷却する冷却ファン等が配置されている。
【００１７】
光源２５としては、イメージセンサ２０による画像読取に十分な光量の読取光を射出できる各種の公知の光源が利用可能であり、例えば、ハロゲンランプ、キセノンランプ、水銀灯などが例示される。
絞り２６は、光源２５からの光量を調節するものであり、図示例においては、遮光部分で対数曲線が描かれた、光軸Ｌに直交する図中矢印ａ方向で通過光量の異なる２枚のＮＤフィルタ２６ａおよび２６ｂを用い、このＮＤフィルタ２６ａおよび２６ｂを矢印ａ方向に互いに接離することにより、光源２５からフィルムに至る光量を調節する。
【００１８】
色フィルタ板２８は、Ｒ（赤）フィルタ２８Ｒ、Ｇ（緑）フィルタ２８Ｇ、およびＢ（青）フィルタ２８Ｂの３枚の色フィルタを有する円盤状の部材で、軸２８ａを中心にして、図示しない回転手段によって回転可能に構成される。
画像読取時には、Ｒフィルタ２８Ｒ、Ｇフィルタ２８Ｇ、およびＢフィルタ２８Ｂは、順次光路Ｌに挿入され、これにより、フィルムに撮影された画像がＲ、ＧおよびＢの３原色に分解されて読み取られる。
【００１９】
拡散ボックス３０は、光源２５から射出され、絞り２６によって光量を調整されて、色フィルタを通過した読取光を拡散して、フィルムに入射する読取光の光量等をフィルム面方向すなわち光軸Ｌと直交する面でムラなく均一にするためのものである。
図示例において、拡散ボックス３０は、内面が鏡面である四角柱の上下面に拡散板を配置した構成を有するものであるが、これ以外にも公知の光拡散手段が各種利用可能である。
なお、光源部１４には、必要に応じて、光源部１４から射出する光を遮蔽するためのシャッタを設けてもよい。
【００２０】
図１に示すように、光源部１４の上方には、キャリアベース１６が配置される。
キャリアベース１６は、その上面にフィルムキャリア２２を載置して、所定の位置に保持する部位であり、光学フレーム１２に対して垂直に固定されている。キャリアベース１６には、光軸Ｌに対応する部分に、光源部１４からの光が通過するための開口（図示せず）が形成されている。なお、この開口の大きさは、入力装置１０によって読み取るフィルムの最大サイズに応じて、光源部１４からの光によって、入力装置１０で読み取る画像の最大サイズの全面を十分に照射できる大きさとすればよい。
【００２１】
キャリアベース１６の上面には、図中手前側から光学フレーム１２に向かう方向、すなわち前記搬送方向となる矢印ｘ方向と直交する矢印ｙ方向に、案内レール３４および３６が形成されている。
また、フィルムキャリア２２の底面には、案内レール３４および３６に対応して溝３８および４０が形成されている。
すなわち、キャリアベース１６の上面に載置されたフィルムキャリア２２は、案内レール３４および３６と、それぞれそれに対応する溝３８および４０とによって、矢印ｘ方向の位置を規定され、また、光学フレーム１２と図中奥側の端面とが当接することにより、矢印ｙ方向の位置を規定され、キャリアベース１６上の所定位置に位置決めされて載置される。
【００２２】
このような構成を有する本発明の入力装置１０によれば、フィルムキャリア２２を、矢印ｙ方向に押し込むあるいは引き出すことことにより、容易に両者を交換して、キャリアベース１６上の所定の位置に装着することができる。従って、ストリップスＡの両者に好適に対応して、それぞれに撮影されている画像を読み取ることが可能である。
なお、キャリアベース１６上の所定位置にフィルムキャリア２２等を装着する手段は、このような案内レールとこれに係合する溝等を用いる方法には限定されず、突起とこれに係合する孔部、互いに係合する当接部材、各種のクランプ部材、磁石による吸着等を用いるものであってもよい。
【００２３】
前述のように、図示例の入力装置１０のキャリアベース１６には、フィルムキャリア２２が装着自在に構成される。
フィルムキャリア２２は、多数の画像が撮影された長尺のネガフィルムもしくはリバーサルフィルム、いわゆるストリップス（スリーブ）Ａをその長手方向に搬送して、ストリップスＡに撮影された各画像を光軸Ｌ上の所定位置、すなわち図示しないキャリアベース１６の開口に対応する読取位置Ｚに順次搬送して、読み取りに供するものである。
【００２４】
フィルムキャリア２２の本体４６の底面には、前述のように、キャリアベース１６の案内レール３４に対応する溝３８、ならびに案内レール３４に対応する溝４０が形成されている。
また、本体４６の上面には、矢印ｘで示される搬送方向でかつ光軸Ｌと交わる位置に端部から端部まで延在して案内溝４８が形成されている。案内溝４８は、ストリップスＡとほぼ同じ幅を有する溝であって、ストリップスＡは、案内溝４８に挿入された状態で、長手方向をｘ方向と一致して搬送され、各画像が順次、光軸Ｌ上の読取位置Ｚに搬送される。従って、この案内溝４８の深さは、ストリップスＡの画像面（すなわち乳剤面）が光軸Ｌ方向（焦点深度方向）の所定位置になるようにされる。
【００２５】
さらに、フィルムキャリア２２の本体４６の読取位置Ｚには、光源部１４からの読取光が通過するための開口が形成されている。この開口は、ストリップスＡの画像に入力する光を規制するマスクも兼ねており、例えば、ストリップスＡが１３５サイズであれば、開口はそれに対応するサイズおよび形状となっている。なお、読取位置Ｚは、フィルムキャリア２２がキャリアベース１６上の所定位置に配置された際に、光軸Ｌ上の所定位置すなわちキャリアベース１６の開口に対応する位置となるのは当然のことである。
また、フィルムキャリア２２の本体４６に形成する開口をキャリアベース１６の開口に対応するサイズとして、各種サイズのフィルムに対応するマスクを交換してフィルムキャリア２２に装着可能な構成としてもよい。
【００２６】
案内溝４８には、ｘ方向の上流から下流に向かって、ストリップスＡの搬送手段５０、フィルム圧着ユニット５２および画面検出センサ５４が配置される。
搬送手段５０は、モータ５６と搬送ローラ５８とから構成され、画面検出センサ５４による検出結果に応じてストリップスＡを矢印ｘ方向に搬送して画像が読取位置Ｚに来たら停止し、制御部２１から読み取り終了の信号を受けたら再度搬送を開始し、次の画像を読取位置Ｚに搬送する。
フィルム圧着ユニット５２は、画像読取時に読取位置ＺにおいてストリップスＡを案内溝４８に圧着することにより、ストリップスＡのカール等を矯正して画像全面を光軸Ｌ方向の所定位置、すなわち原稿設置位置に保持するものである。このようなフィルム圧着ユニット５２は、圧着部材６０と、この圧着部材６０を軸６２を中心に矢印ｂ方向に回動させる回動手段６４とから構成され、圧着部材６０は、ストリップスＡの搬送時には回動手段６４によって上方に回動され、読取時には下方に回動して、読取位置ＺでストリップスＡを押圧する。また、圧着部材６０の読取位置Ｚに対応する位置には、ストリップスＡの投影光が通過するための開口６０ａが形成されている。
画面検出センサ５４は、公知の光学的なセンサであって、ストリップスＡの読取位置Ｚよりｘ方向上流側に撮影されている画像やＤＸコードを検出することによって、読取位置Ｚにおける画像の位置を規定するものである。図示例のフィルムキャリア２２においては、画面検出センサ５４による検出結果に応じて、搬送手段５０によるストリップスＡの搬送を制御して各画像を順次読取位置Ｚに停止させ、また、フィルム圧着ユニット５２によるストリップスＡの保持および開放を行う。
【００２７】
なお、フィルムキャリア２２におけるストリップスＡの搬送およびフィルム圧着ユニット５２の作動は、上述の例のように画面検出センサ５４等を用いて自動で制御するものに限定はされず、半自動的あるいはオペレータが手動で圧着部材６０の回動および／または搬送手段５０の停止・駆動を行ってもよい。
【００２８】
なお、図示例の入力装置１０は、ストリップスＡやスライドＢを読取位置Ｚに自動（半自動）搬送するフィルムキャリア２２およびスライドキャリア２４を光学フレーム１２のキャリアベース１６上に装填しているが、これに限定されるわけではなく、フィルムキャリア２２の代わりに、例えば、図３に示すように、キャリアベース１６の案内レール３４および３６に係合する溝４２および４４が形成されたキャリア本体６６を有し、スライドＢを読取位置に自動もしくは半自動搬送するスライドキャリア２４を装填するものであってもよい。また、フィルム原稿のキャリアとしては、フィルムキャリア２２およびスライドキャリア２４の他、読取位置Ｚに光源部１４からの光が通過するための開口が形成され、かつ案内レール３４および３６に係合する溝が形成された本体を有するフィルム原稿のキャリアであれば、オペレータがストリップスやスライドを所定の位置に固定するマニュアルキャリアであってもオペレータが任意の位置にフィルムやスライドを配置して読み取りを行うトリミングキャリア等であってもよい。
【００２９】
図３に示すスライドキャリア２４は、画像が撮影されたフィルムを枠体で保持してなる、いわゆるスライドＢを矢印ｘ方向に搬送して撮影位置Ｚに停止して画像読取に供し、かつ読み取りを終了したスライドＢを収集するものである。
【００３０】
前述のように、スライドキャリア２４の本体６６の底面には、キャリアベース１６の案内レール３４に対応する溝４２、ならびに案内レール３４に対応する溝４４が形成されている。スライドキャリア２４は、図４紙面奥手側が光学フレーム１２に当接するように、フィルムキャリア２２と同様にしてキャリアベース１６に装着される。
また、本体６６の上面には、矢印ｘで示されるスライドＢの搬送方向でかつ光軸Ｌと交わる位置に端部から端部まで延在して、スライドＢを案内する案内溝６８が形成される。この案内溝６８の深さは、スライドＢの画像面が、ほぼ光軸Ｌ方向（焦点深度方向）の所定位置になるようにされる。
さらに、スライドキャリア２４の本体６６には、光源部１４からの光が通過するための、前記フィルムキャリア２２と同様のマスクを兼ねる開口が読取位置Ｚに形成されている。なお、フィルムキャリア２２と同様、マスクを別体として、スライドＢのサイズに応じて交換可能に構成してもよい。
【００３１】
本体６６上面の読取位置Ｚの近傍にはカバー７０が配置されている。
カバー７０は、上面にスライドＢの投影光が通過する通過孔７２が形成された底面が開放する筐体で、通常の読取時には読取位置Ｚを覆っているが、図中手側の下端辺を軸にして矢印ｃ方向に回動可能に構成されており、必要に応じて、読取位置Ｚを開放できる。
【００３２】
図４に、カバー７０を開放した状態の読取位置Ｚ近傍の概略平面図を示す。
読取位置Ｚ近傍では、案内溝６８は若干幅広になっており、その入り口近傍にスライドＢを検出するセンサＳ１、および読取位置Ｚに搬送されたスライドＢの矢印ｘ方向先端を検出するセンサＳ２が配置され、さらに、案内溝６８幅広部の両側には、スライドＢを搬送するためのローラが、それぞれ６個ずつ配置されている。
図中上方側のローラは、スライドＢの搬送ローラ７４，７４……であって、図示しない駆動源によって、所定速度で回転される。
下方のローラは、従動ローラ７６，７６……である。従動ローラ７６は、支点７８で回動自在にされるアーム８０の先端に回転自在に軸支されており、アーム８０はスプリング８２によって搬送ローラ７４側に付勢されている。従って、スライドＢは、従動ローラ７６によって搬送ローラ７４に押し付けられて両者に好適に挟持されて確実に搬送され、また、従動ローラ７６を支持するアーム８０の回動によってスライドＢのサイズ差を吸収することができる。
さらに、読取位置Ｚには、必要に応じてスライド押さえ８４が配置される。スライド押さえ８４は、図示しない駆動原による軸８６の回転によって回動可能に構成され、読取時に、その先端部（軸８６と逆側の先端）でスライドＢを案内溝６８に押圧し、スライドＢ（その枠体）の歪や浮き上がり等を矯正する。
【００３３】
カバー７０の矢印ｘ方向下流には、読み取りを終了したスライドＢを回収するためのスライド回収箱８８が配置される。
図示例のスライド回収箱８８は、既に回収されたスライドＢの下に潜り込ませるようにスライドＢを収納するように構成されており、読み取りを終了したスライドＢは、順次下方から積層されて回収される。なお、本発明においては、スライド回収箱８８は、これ以外にも、後から搬送されるスライドＢの押動により落下したスライドＢを収容する箱等であってもよい。
【００３４】
図示例のスライドキャリア２４においては、オペレータがセンサＳ１の位置まで、案内溝６８に沿って手でスライドＢを供給する。
センサＳ１によってスライドＢが検出されると、搬送ローラ７４，７４……が回転して、読取位置ＺすなわちセンサＳ２によって検出される位置までスライドＢを搬送して停止する。
この位置で画像読取が行われ、制御部２１から読み取りを終了した旨の信号を受けると、再度搬送ローラ７４，７４……が再度搬送を開始して、スライドＢをスライド回収箱８８に収納する。
【００３５】
光学フレーム１２の上部には、本発明のレンズ装置を構成する結像部１８が配置される。
結像部１８は、光学フレーム１２に固定される定盤９０に垂設されるレンズユニット９２、ズーム用モータ９３、フォーカス用（焦点調整）モータ９４および温度センサ９５を有するものであり、ストリップスＡおよびスライドＢの投影光をイメージセンサ２０に結像させる。
レンズユニット９２は、ストリップスＡやスライドＢのサイズに応じて倍率を変更して、投影光のサイズをイメージセンサ２０で受光可能な最大サイズ（すなわち、必要な画像領域の最長手部がイメージセンサ２０の受光面に内接するサイズ）に調整してイメージセンサ２０に結像するための、公知のズームレンズが組み込まれたズームレンズ群９６と、その上方（光軸Ｌ方向下流側）に位置する、投影光の焦点をイメージセンサ２０の受光面上に調整する公知の焦点調整レンズが組み込まれたフォーカスレンズ群９８とを有して構成される。また、ズームレンズ群９６の調整ギア９６ａは、ズーム用モータ９３によって回転される駆動ギア９３ａに噛合しており、ズームレンズ群９６は倍率に応じたイメージセンサ２０上の画像サイズとなるように光軸Ｌ方向に移動調整される。さらに、フォーカスレンズ群９８の調整ギヤ９８ａは、焦点調整モータ９４によって回転されるギヤ９４ａに噛合しており、フォーカスレンズ群９８は焦点調整モータ９４によって焦点を調整され、すなわち合焦位置に移動調整される。
モータ９３および９４の駆動は、制御部２１の自動焦点調整手段１０４によって制御されており、図示例の入力装置１０は、ＴＴＬ（Ｔｈｒｏｕｇｈ  Ｔｈｅ  Ｌｅｎｓ）方式により、イメージセンサ２０によって読み取られた得られた画像およびそのコントラストを用いて自動焦点調整（オートフォーカス：ＡＦ）を行い、本発明の合焦位置の補正方法を実施する。この点については、後に詳述する。
温度センサ９５は、レンズユニット９２の各レンズ群９６および９８の温度を検出するためのもので、例えばサーミスタなどの温度検出器がレンズユニット９２の鏡胴部のレンズ硝材近傍に取り付けられる。この温度センサ９５によって測定されたレンズユニット９２の温度測定値は、レンズ温度の変動によるレンズユニット９２のフォーカスレンズ群９８の焦点位置、すなわち合焦位置の変動を補正するために制御部２１の自動焦点調整手段１０４に伝送される。
【００３６】
ストリップスＡおよびスライドＢの投影光は、レンズユニット９２によってイメージセンサ２０に結像され、光電的に読み取られる。なお、レンズユニット９２とイメージセンサ２０との間には、暗電流補正等に用いられる公知のシャッタが配置されていてもよい。
２次元的な画像読取を行う入力装置１０において、イメージセンサ２０はエリアセンサであって、例えば、１３８０×９２０画素のＣＣＤセンサである。また、図示例の装置では、イメージセンサ２０は半画素に対応する量だけｘ方向およびｙ方向に移動可能に構成されており、これにより、読取画素数を見掛け上で４倍まで増やすことができる。
【００３７】
イメージセンサ２０からの信号は、制御部２１に出力される。
制御部２１は、イメージセンサ２０からの出力信号を受け、所定の画像処理を施して画像情報として出力する画像処理装置１００と、画像処理装置１００の画像処理演算の制御のみならず、画像入力装置１０の各部および全体の制御を行うとともに、本発明のレンズ装置の合焦位置決定のためのサーチエリアの設定演算などを行うＣＰＵ１０２と、読取倍率に応じた各ズーム位置、すなわちズームレンズ群９８の各位置における基準温度でのフォーカスレンズ群９６のホームポジション（ＨＰ）から基準合焦位置までの移動量データ（フォーカス用モータ９４に与える基準パルス（数））および基準温度データとこの基準温度からの温度変化に応じたフォーカスレンズ群９６の移動補正量データ（フォーカス用モータ９４に与える温度補正パルス（数））ならびに読取倍率に応じたズームレンズ群９８のホームポジション（ＨＰ）からの移動量データ（ズーム用モータ９３に与えるパルス（数））などを記憶するメモリ１０３と、イメージセンサ２０によって読み取られた得られた画像を用いて自動焦点調整を行う自動焦点調整手段１０４とを有する。また、制御部２１には、入力装置１０の操作や読取倍率などの読取（出力）条件の設定入力を行うキーボード１０６およびマウス１０８、イメージセンサ２０で読み取った画像を表示するディスプレイ１１０等が接続される。
【００３８】
図５に、制御部２１の一実施例の詳細なブロック図を示す。制御部２１において、ＣＣＤ２０は読取画素数を見掛け上増加させる画素ずらしを行うためのｘ−ｙ方向の移動制御回路２０ａを介してＣＰＵバスに接続される。ＣＣＤ２０で読み取られた画像情報は、画像処理装置１００に入力される。画像処理装置１００において、ＣＣＤ２０で読み取られたアナログ画像データは、Ａ／Ｄ変換器１１１でディジタル画像データに変換され、オフセット補正回路１１２でＤＣオフセットが補正され、次いで暗時補正回路１１３で暗時補正がかけられる。この後、ＬＯＧ変換回路１１４でＬＯＧ変換され、シェーディング補正回路１１５でシェーディング補正された後、フレームメモリ１１６に記憶され、画像記録装置Ｐ等に出力するものである。
【００３９】
暗時補正回路１１３で暗時補正された画像データは、自動焦点調整手段１０４に入力され、自動焦点調整手段１０４において、まず合焦位置（ピント位置）決定回路１１８において後述するように所定サーチエリア内の各点の画像コントラスト積算値が求められ、これが最大となる位置が合焦位置とされる。そして、この合焦位置の情報はこの合焦位置決定回路１１８からＣＰＵバスを介してレンズユニット９２のモータ９３，９４を制御するモータ駆動制御回路１１９に伝送される。
一方、温度センサ９５からは、温度測定値が、キャリア種別判別手段１２０からはストリップスＡ用のフィルムキャリア２２かスライドＢ用のスライドキャリア２４かのいずれが装填されているかの情報およびキーボード１０６やマウス１０８を用いて読取倍率などの読取条件などの情報がＣＰＵバスを介してＣＰＵ１０２、メモリ１０３、自動焦点調整手段１０４の合焦位置決定回路１１８やモータ駆動制御回路１１９に入力される。
【００４０】
なお、光源部１４の光源２５、絞り（アイリス絞り）２６、色フィルタ板２８は、それぞれＣＰＵ１０２とＣＰＵバスを介して接続される光源制御回路２５ｂ、絞り制御回路２６ｃ、色フィルタ制御回路２８ｂによって、光強度、開度、色フィルタの種類が制御される。
ところで、制御部２１には、画像処理装置１００によって所定の画像処理が施された画像情報にポジ・ネガ反転を行うポジ／ネガ変換回路１１７が設けられていてもよい。ポジ／ネガ変換回路１１７は、ストリップスＡやスライドＢがリバーサルフィルムであった場合に所定の画像処理が施された画像情報を出力機Ｐに出力する前に変換してネガ画像（あるいはその逆）として出力するものである。ポジ→ネガ変換あるいはネガ→ポジ変換の方法には特に限定はなく、公知の変換方法（画像処理方法）によればよい。
なお、ストリップスＡやスライドＢがネガフィルムであるかリバーサルフィルムであるかの判別は、オペレータが入力するものであってもよく、読み取った画像やフィルムの形態等から装置が判別してもよく、また両者を選択可能に構成してもよい。
【００４１】
ところで、図１〜図５に示す画像入力装置において、結像部１８のズームレンズ群９６とフォーカスレンズ群９８とを有するレンズユニット９２、ズーム用モータ９３、フォーカス用モータ９４および温度センサ９５、ならびに制御部２１の自動焦点調整手段１０４の合焦位置決定回路１１８とモータ駆動制御回路１１９、メモリ１０３および予測合焦位置を演算し、合焦のためのサーチエリアを設定するＣＰＵ１０２は、本発明のレンズ装置を構成する。
以上のように、本発明のレンズ装置を適用する画像入力装置は基本的に構成される。
【００４２】
周知のように、通常の入力装置では、出力のための画像読取に先立ち、フィルムに撮影された画像を粗（ラフ）に読み取って、主被写体の設定や読取条件の決定等を行うためのプレスキャンが行われる。
図示例の入力装置１０においても、上述したように、画像処理装置１００は、プレスキャンにおけるイメージセンサ２０からの出力信号を受けて、画像処理条件の設定を行い、出力画像のための本（ファイン）スキャンの際には、設定した画像処理条件に応じて、イメージセンサ２０からの出力信号に所定の画像処理を施して画像情報として画像記録装置（出力機）Ｐ等に出力するものであり、画像処理条件の設定やこれらの各種の画像処理を行う公知の画像処理回路を組み合わせてなるものである。
【００４３】
一方、自動焦点調整手段１０４は、上述したように、プレスキャンの前にフィルム原稿の種別および読取倍率に応じてレンズユニット９２のズームレンズ群９６を所定位置まで移動した後、本発明法に従って温度センサ９５によって測定されるレンズユニット９２の温度変化を考慮してＣＰＵ１０２によって設定された所定サーチエリア内においてフォーカス用モータ９４によってフォーカスレンズ群９８を移動調整し、サーチエリア内の各位置においてフィルム原稿の画像を読み取り、画像コントラストを演算し、合焦位置を決定し、フォーカス用モータ９４によってフォーカスレンズ群９８を合焦位置に移動することにより、自動焦点調整（オートフォーカス）を行うものである。
【００４４】
図示例の入力装置１０は、ストリップスＡとスライドＢという全く異なる形状のフィルム原稿の画像を読取可能な装置であり、従って、本発明のレンズ装置はこれらのフィルム原稿の画像を正確かつ適切なサイズでＣＣＤ２０のエリアに結像可能な装置である。通常のフィルムはカールを有しており、フィルム面は湾曲しているが、カールの状態は均一ではなくフィルムによってまちまちである。また、スライドＢは、製造メーカーや仕様によって厚みが異なる場合が多く、さらにフレームに保持された状態で若干のカールや歪を有している場合もある。つまり、多様な原稿に対応するレンズ装置においては、スライドＢの種類や、ストリップスＡやスライドＢのフィルムの状態によって、画像面が光軸Ｌ方向に異なることになる。
このため、本発明のレンズ装置においては、ズームレンズ群９６を用いるとともにフォーカスレンズ群９８をズームレンズ群９６と独立に移動可能とし、フォーカスレンズ群９８に上述ような自動焦点調整機能を付与することにより、画像面が光軸方向に変動した場合であっても、常に同一の適切な読み取りサイズでかつ安定して高精度な画像読取を行うために、自動焦点調整を行うことができるので、オペレータの作業が簡易化され、また迅速かつ高精度の画像読取を実現することができる。
【００４５】
図６に、入力装置１０における本発明のレンズ装置の焦点調整の一例のフローチャートを示す。
自動焦点調整手段１０４は、まず、そのモータ駆動制御回路１１９によって、読取倍率に応じてメモリ１０３からズームレンズ群９６の移動量に相当するパルス数を読み出し、パルスモータ９３にその数のパルスを付与し、ズームレンズ群９６を読取倍率に応じた位置に移動する。この位置は、フィルム原稿（ストリップスＡ、スライドＢ）の所要の読取画像領域（所定設定領域）がＣＣＤ２０の全センサエリアのほぼ全面に、正確には全センサエリアより少し小さい領域に結像するズーム位置である。ここで、ネガティブフィルムやリバーサルフィルムなどのストリップスＡやスライドＢ等のフィルム原稿のプリントにおいては、一般にフィルム原稿に記録（担持）されている画像の全てを再現しているわけではなく、フィルム原稿の担持画像サイズに対してプリント再現される画像サイズは厳格に設定されている。このため、入力装置１０においては、ズーム機能を備えた本発明のレンズ装置を用いてＣＣＤ２０の全エリアに対して結像させるフィルム原稿の画像サイズを所定設定サイズに厳格に一致させているのである。
【００４６】
次に、自動焦点調整手段１０４は、キャリアベース１６に装着されたキャリアの判別結果および温度センサ９５の温度測定結果を受け、後述する本発明のレンズ装置の合焦位置の補正方法を実施して、読み取るフィルム原稿がストリップスＡかスライドＢに応じて、予測フォーカス位置（ベストピントであると予測される位置）を算出し、この位置を中心とするサーチエリア（ベストピント位置を検索する範囲）を設定する。サーチエリアは、例えば、通常の焦点距離を中心とした所定の焦点距離範囲とすればよく、フィルム原稿種（もしくはキャリア）に対応して予め決定されている。なお、キャリアベース１６に装着されたキャリアの判別は、キャリアベース１６へのキャリアの装着に応じてＣＰＵ１０２または自動焦点調整手段１０４が自動判別するように構成してもよく、あるいは、オペレータがキーボード１０６またはマウス１０８を用いて入力するものであってもよい。
この本発明法によるサーチエリアの設定と平行して、光源部１４において、制御回路２８ｂによって色フィルタ板２８のＧフィルタ２８Ｇが光路Ｌに挿入される。
【００４７】
本発明法によってサーチエリアが設定された後、自動焦点調整手段１０４のモータ制御回路１１９は所定パルスを付与して焦点調整モータ９４を駆動して、サーチを開始する初期位置、例えば、サーチエリア内で最も焦点距離が短くなる位置にフォーカスレンズ群９８を移動させる。次いで、光源２５から射出され、Ｇフィルタ２８Ｇを通過して調光され、フィルム原稿を通過した画像（Ｇ画像）を担持する投影光をイメージセンサ２０によって読み取り、フィルムの画像（Ｇ画像）を読み取る。
イメージセンサ２０からの出力信号は、画像処理装置１００に送られて、Ａ／Ｄ変換、オフセット補正、暗時補正等の所定の画像処理を施されて画像情報として自動焦点調整手段１０４に送られる。この後、自動焦点調整手段１０４の合焦位置決定回路１１８は得られた画像情報から画像コントラスト積算値を算出する、すなわち、読み取った画像における所定の空間周波数領域のＭＴＦ（Ｍｏｄｕｌａｔｉｏｎ  Ｔｒａｎｓｆｅｒ  Ｆｕｎｃｔｉｏｎ）の積分値を算出する。
このような画像読取および画像コントラスト積算値の算出の操作をサーチエリアの初期位置からサーチエリアの終了位置、すなわち、この場合にはサーチエリア内で最も焦点距離が長くなる状態まで、自動焦点調整手段１０４のモータ制御回路１１９によって焦点調整モータ９４を駆動しながら、フォーカスレンズ群９８を所定量だけ距離を移動（この場合には焦点距離を長く）する毎に、それぞれの位置で繰り返す。ここで、フォーカスレンズ群９８の移動は、連続的であっても間欠的であってもよい。
【００４８】
サーチエリア内の画像コントラスト積算値が終了した後、焦点調整手段１０４の合焦位置決定回路１１８は、最も画像コントラスト積算値が大きい位置を合焦位置として検出し、モータ制御回路１１９は焦点調整モータ９４を駆動してフォーカスレンズ群９８を合焦位置に設定し、投影光の焦点を正確にイメージセンサ２０の受光面に合わせる。
【００４９】
なお、本発明のレンズ装置において、焦点の自動調整方法はこれに限定はされず、例えば、光電的な方法や三角法等によってフィルム面とイメージセンサ２０との距離を測定し、焦点調整を行う方法等、公知の焦点調整方法が各種利用可能である。
【００５０】
次に、図７および図８を参照して本発明のレンズ装置の合焦位置の補正方法について説明する。
図７に示すように、本発明の合焦位置の補正方法を実施する本発明のレンズ装置は、上述したようにズームレンズ群９６およびフォーカスレンズ群９８からなるレンズユニット９２と、ズーム用モータ９３と、フォーカス用モータ９４と、温度センサ９５と、ＣＰＵ１０２と、メモリ１０３と、合焦位置決定回路１１８およびモータ駆動制御回路１１９からなる自動焦点調整手段１０４とから構成される。
【００５１】
まず、このようなレンズ装置が組み込まれた画像入力装置１０の使用開始に先立って、例えば、工場出荷時にフィルム原稿として基準ガラスチャートを用い、基準温度において各読取倍率毎（すなわち各読取倍率に応じたズームレンズ群９８の移動位置毎）の合焦位置を上述した自動焦点調整方法を行って検出し、ＣＰＵ１０２によってフォーカスレンズ群９６のホームポジション（ＨＰ）からの基準移動量（モータ９４に付与する基準パルス）を算出し、基準温度データとともにメモリ１０３に記憶する。また、この時、基準温度から所定量だけ温度を変化させ、同様にして同じ基準ガラスチャートを用いて合焦位置を求め、基準温度における合焦位置との差、すなわち移動補正量（温度補正パルス）をＣＰＵ１０２によって各読取倍率毎に求め、温度変化とともにメモリ１０３に記憶する。この工程を使用可能性のある所定の温度範囲について所定の間隔で行い、メモリ１０３に各読取倍率毎に、基準移動量データおよび基準温度データ、ならびに所要数の移動補正量データおよび温度データを記憶させておく。
【００５２】
次に、入力装置１０にフィルム原稿（ストリップスＡまたはスライドＢ）に応じてキャリア（フィルムキャリア２２またはスライドキャリア２４）をキャリアベース１６に装着し、画像を読み取るべきフィルム原稿ＡまたはＢをキャリア２２または２４に装填してフィルム原稿ＡまたはＢを所定の原稿設置位置に配置する。
ここで、フィルム原稿ＡまたはＢの画像読み取りのためのプレスキャンに先立って、本発明のレンズ装置の合焦位置の補正方法は以下のように行われる。
【００５３】
▲１▼まず始めに、本発明のレンズ装置のレンズユニット９２のズームレンズ群９６およびフォーカスレンズ群９８はホームポジション（以下、ＨＰという）にあり、読取倍率およびフィルム原稿（キャリア）種別はＣＰＵ１０２に入力され、温度センサ９５によるレンズユニット９２の温度測定値も自動焦点調整手段１０４を介してＣＰＵ１０２に入力されているものとする。
【００５４】
▲２▼まず、ＣＰＵ１０２は、メモリ１０３からフィルム原稿種別および読取倍率に応じたＨＰからのズームレンズ群９６の移動量（ズーム用パルスモータ９３に付与するパルス数）データを読み出す。
▲３▼自動焦点調整手段１０４は、ＣＰＵ１０２からこのデータを受け取り、メモリ１０３から読み出されたパルス数（移動量）だけズーム用モータ９３を回転させて、ズームレンズ群９６を移動し、ＣＣＤ２０への原稿画像の結像サイズをＣＣＤ２０の読み取りサイズに正確に一致させる。
【００５５】
▲４▼次いで、ＣＰＵ１０２は、キャリア種別（フィルム原稿）種別に応じた設定読取倍率でのフォーカスレンズ群９８のＨＰからの移動量（フォーカス基準パルス（数））データ（図８参照）をメモリ１０３から読み出す。
▲５▼この後、ＣＰＵ１０２は、温度センサ９５によって得られた温度測定値とメモリ１０３に格納されている基準温度との温度差を算出し、この温度差からフォーカスレンズ群９８の移動補正量（温度補正パルス（数））データ（図８参照）をメモリ１０３から読み出し、図８に示すように、基準パルスと温度補正パルスを加算し、サーチエリアの中心となる予測合焦（フォーカス）位置までのＨＰからの移動量演算値（予測合焦パルス（数））データを算出する。
▲６▼ＣＰＵ１０２は、図８に示すように、フィルム原稿種別および読取倍率に応じて、算出された予測フォーカス位置を中心としてサーチエリアを設定する。
【００５６】
▲７▼この後、ＣＰＵ１０２は、図８に示すように、ＨＰからサーチエリアの始点、すなわち初期位置までの移動量（始点パルス（数））データを演算し、自動焦点調整手段１０４に伝送する。
▲８▼自動焦点調整手段１０４は、ＣＰＵ１０２からこのデータを受け取り、この始点パルス数（移動量）だけフォーカス用モータ９４を回転させて、フォーカスレンズ群９８をサーチエリアの始点まで移動する。
【００５７】
▲９▼この後、自動焦点調整手段１０４およびＣＰＵ１０２は、上述したように、図６に示すフローチャートに従って自動焦点調整を行って、合焦位置（ベストピント位置）を求め、この合焦位置にフォーカスレンズ群９８を位置させる。
こうして、本発明のレンズ装置の合焦位置の補正方法が終了する。
【００５８】
本発明のレンズ装置およびその合焦位置の補正方法は、基本的に上記のように構成されるものであるが、以下に、本発明のレンズ装置を適用する入力装置１０の作用について詳細に説明する。
まず、読み取る原稿の形態、すなわち原稿がストリップスＡかスライドＢかによって、それに応じたキャリアをキャリアベース１６に装着する。ここでは、仮にストリップスＡを読み取るとして、図１に示されるように、フィルムキャリア２２の溝３８および４０を、キャリアベース１６の案内レール３４および３６に係合してフィルムキャリア２２を載置し、フィルムキャリア２２の奥側端面が光学フレーム１２に当接する位置まで矢印ｙ方向に押し込んで、キャリアベース１６上の所定位置に装着する。なお、光学フレーム１２およびフィルムキャリア２２（スライドキャリア２４）のいずれか一方に、所定位置に装着されたフィルムキャリア２２を保持する手段を設けてもよい。
さらに、ストリップスＡがリバーサルフィルムである場合には、キーボード１０６やマウス１０８を用いて、その旨の指示を行ってもよい。
【００５９】
光源部１４からの光量が所定値になっていることが確認された後、フィルム圧着ユニット５２の圧着部材６０を上方に上げ、ストリップスＡに撮影された１枚目の画像が読取位置ＺとなるようにストリップスＡをフィルムキャリア２２に装填し、読取開始の指示が出される。
図示例の入力装置１０においては、読取開始の指示が出されると、まず、前述のように、本発明のレンズ装置の合焦位置の補正方法を実施して、焦点調整手段１０４によって、得られた画像のコントラストから自動焦点調整が行われ、焦点調整モータ９４を駆動してフォーカスレンズ群９８を合焦位置に調整する。
焦点調整が終了すると、次いで、プレスキャンが開始される。前述のように、焦点調整はＧフィルタ２８Ｇを挿入してＧ画像を読み取ることで行われるので、プレスキャンは、その状態で開始され、Ｇフィルタ２８Ｇによって調光された光がストリップスＡを透過して、画像を担持する投影光がレンズユニット９２によってイメージセンサ２０に結像され、原稿のＧ画像が読み取られ、制御部２１に送られる。Ｇ画像の読み取りが終了すると、色フィルタ板２８が回転して、例えば、Ｒフィルタ２８Ｒが光路Ｌに挿入されて、同様にＲ画像の読み取りが行われ、さらに、同様にして、Ｂ画像が読み取られ、プレスキャンが終了する。
【００６０】
制御部２１においては、プレスキャンで得られた画像がディスプレイ１１０に表示され、必要に応じて主被写体の設定等が行われ、画像処理装置１００においては、得られた画像情報や主被写体等に応じて、光源部１４の絞り２６による絞り量等の読取条件や画像処理条件が決定される。
【００６１】
読取条件や画像処理条件が決定され、また、焦点調整や絞り２６の調整等が終了すると、本スキャンが開始される。
本スキャンが開始されると、プレスキャンと同様に、Ｇフィルタ２８Ｇが光路Ｌに挿入され、Ｇフィルタ２８Ｇによって調光された光がストリップスＡを透過して、投影光がレンズユニット９２によってイメージセンサ２０に結像され、原稿のＧ画像が読み取られ、制御部２１に送られ、以下、同様にして、Ｒ画像およびＢ画像が読み取られ、制御部２１に送られる。
制御部２１の画像処理装置１００は、イメージセンサ２０からの出力信号にＡ／Ｄ変換等の所定の処理を施して出力のための画像情報として画像記録装置Ｐに出力する。また、ストリップスＡがリバーサルフィルムである場合には画像処理装置１００からの画像情報はポジ／ネガ変換回路１１７に送られ、ポジ画像情報がネガ画像情報に変換された後に画像記録装置Ｐに出力される。
【００６２】
このようにして最初の画像読取を終了すると、その旨の信号が制御部２１からフィルムキャリア２２に出され、圧着部材６０が上方に回動してストリップスＡを開放し、次いで、搬送手段５０が駆動してストリップスＡを矢印ｘ方向に搬送し、画面検出センサ５４による検出結果に応じて搬送を停止し、次ぎの画像が読取位置Ｚに搬送される。
次いで、圧着部材６０が下方に回動してストリップスＡを固定し、先と同様にして読み取りが行われる。
【００６３】
ストリップスＡの読み取りが終了して、次いでスライドＢの読み取りを行う場合には、図１に示すフィルムキャリア２２をキャリアベース１６から取り外して、図３および図４に示すスライドキャリア２４をキャリアベース１６に装着する。ストリップスＡと同様に光量の確認等が終了したら、前述のように、案内溝６８に沿って手でスライドＢを供給し、センサＳ１によってスライドＢが検出されると、搬送ローラ７４，７４……によってセンサＳ２に検出される読取位置ＺまでスライドＢが搬送され、先のストリップスＡの読み取りと同様にして本発明の合焦位置の補正方法が実施され焦点が調整され、プレスキャンおよび本スキャンが行われ、スライドＢの画像が読み取られる。
制御部２１から読み取りを終了した旨の信号を受けると、搬送ローラ７４，７４……が再度搬送を開始して、スライドＢをスライド回収箱８８に収納する。
【００６４】
以上、本発明の画像入力用レンズ装置およびその合焦位置の補正方法について詳細に説明したが、本発明はこれに限定はされるものではなく、本発明の要旨を逸脱しない範囲において、各種の変更および改良を行ってもよいのはもちろんである。
【００６５】
【発明の効果】
以上、詳細に説明したように、本発明によれば、ストリップスやスライド等のフィルム原稿の種類、形状、形態、例えばフィルムストリップスやスライドのカールやスライドの支持体の厚みの変動および温度変化によるイメージセンサに結像する画像読み取りサイズの変動を調整し、正確な画像サイズに結像させることができ、また、これらのフィルム原稿の形態の変動および温度変化によるピント位置ずれを自動調整し、常に最良のピント位置に合焦することできる。その結果本発明のレンズ装置を用いる画像入力装置によれば、常に適切な画像サイズで高精度の画像読取を行うことができる。
【図面の簡単な説明】
【図１】本発明に係る画像入力用レンズ装置を適用する画像入力装置の制御部のブロック図を含む一実施例の概略斜視図である。
【図２】図１に示す画像入力装置の光源部の一実施例の概略斜視図である。
【図３】図１に示す画像入力装置のフィルムキャリアの代わりに装着されるスライドキャリアの一実施例の概略斜視図である。
【図４】図４に示すスライドキャリアの読取位置近傍の一実施例を示す概略平面図である。
【図５】図１に示す画像入力装置の制御部の一実施例のブロック図である。
【図６】図１に示される画像入力装置における自動焦点調整を説明するためのフローチャートである。
【図７】本発明に係るレンズ装置を説明する概略模式図である。
【図８】本発明に係るレンズ装置の合焦位置の補正方法を説明する説明図である。
【符号の説明】
１０  画像入力装置
１２  光学フレーム
１４  光源部
１６  キャリアベース
１８  結像部
２０  イメージセンサ
２１  制御部
２２  フィルムキャリア
２４  スライドキャリア
２５  光源
２６  絞り
２８  色フィルタ板
３０  拡散ボックス
３４，３６  案内レール
３８，４０，４２，４４  溝
４６，６６  本体
４８，６８  案内溝
５０  搬送手段
５２  フィルム圧着ユニット
５４  画面検出センサ
５６  モータ
５８，７４  搬送ローラ
６０  圧着部材
６２，８６  軸
６４  回動手段
７０  カバー
７２  通過孔
７６  アイドルローラ
７８  支点
８０  アーム
８２  スプリング
８４  スライド押さえ
８８  スライド回収箱
９０  定盤
９２  レンズユニット
９３  ズーム用モータ
９４  フォーカス用モータ
９５  温度センサ
９６  ズームレンズ群
９８  フォーカスレンズ群
１００  画像処理装置
１０２  ＣＰＵ
１０３  メモリ
１０４  自動焦点調整手段
１０６  キーボード
１０８  マウス
１１０  ディスプレイ
１１８  合焦位置決定回路
１１９  モータ駆動制御回路
【図１】
0003545522.tif 000002
【図２】
0003545522.tif 000003
【図３】
0003545522.tif 000004
【図４】
0003545522.tif 000005
【図５】
0003545522.tif 000006
【図６】
0003545522.tif 000007
【図７】
0003545522.tif 000008
【図８】
0003545522.tif 000009